(57)【要約】【課題】  携帯端末の表面に保護シートを貼着した場合であっても、また、保護シートを貼着しない場合であっても、さらに開閉カバーにカード類を挿入した場合であっても、開閉カバーが常に定位置に閉められる携帯に便利な携帯端末用ケースを提供する。【解決手段】  携帯端末Ａの収容空間Ｄと、該収容空間Ｄに収容された携帯端末Ａの表面を覆う開閉カバーＣからなり、前記携帯端末Ａの高さと略同一の高さに形成された収容空間Ｄの枠部２の一部分に略保護シート５の厚さ分高く磁性部６を形成し、前記開閉カバーＣを閉めた時に前記磁性部６と対向する前記開閉カバーＣの内側面に前記磁性部６に適合する磁石部１３を略保護シート５の厚さ分低く設けてなり、好ましくは、前記開閉カバーＣの内側面にカード類を収納する凹所１０を形成する。【選択図】図１
2015149782.tif 000002
【特許請求の範囲】
【請求項１】
携帯端末の収容空間と、該収容空間に収容された携帯端末の表面を覆う開閉カバーと、を有する携帯端末用ケースであって、前記携帯端末の高さと略同一の高さを有する前記収容空間を形成する枠部の一部分に略保護シートの厚さ分高く磁性部を形成し、閉めた時に前記磁性部と対向する前記開閉カバーの内側面に前記磁性部に適合する磁石部を略保護シートの厚さ分低く設けたことを特徴とする携帯端末用ケース。
【請求項２】
前記磁性部と磁石部を反対に形成したことを特徴とする請求項１に記載の携帯端末用ケース。
【請求項３】
前記開閉カバーの内側面にカード類を収納する凹所を形成したことを特徴とする請求項１又は２に記載の携帯端末用ケース。
【発明の詳細な説明】
【技術分野】
【０００１】
本発明は、アイホーン（登録商標）、スマートホーン、タブレット端末などの携帯端末用ケースに関し、詳しくは、携帯端末の収容空間と、該収容空間に収容された携帯端末の表面を覆う開閉カバーと、を有する携帯端末用ケースに関する。
【背景技術】
【０００２】
従来、携帯端末とともに非接触型ＩＣカードを同時に携行できる携帯端末用ケースが提案されている。該携帯端末用ケースは、平板状のベース部とこのベース部に設けられた枠部とによって囲まれた空間が携帯端末の収容空間とされた携帯端末ホルダーと、この携帯端末ホルダーに連設されて上記収容空間を開閉可能な蓋板部と、を備え、上記ベース部に、非接触型ＩＣカードが収容される凹所を形成した構成である（登録実用新案第３１８６３９１号公報）。なお、前記の携帯端末用ケースの蓋板部の内側面にはカード類を収納する切込みが形成されている。さらに、枠部と蓋板部とには互いに吸着離脱可能な磁石部と磁性部とが振り分けて設けられている。
【先行技術文献】
【特許文献】
【０００３】
【特許文献１】登録実用新案第３１８６３９１号公報
【発明の概要】
【発明が解決しようとする課題】
【０００４】
従来の携帯端末用ケースでは、携帯端末の収容空間を形成する枠部の高さ（収容空間の深さ）は携帯端末の上面と略同一平面を保って形成されている。したがって、収容空間に収容した携帯端末の表面にガラスシートなどの保護シートを貼着すると携帯端末の厚さに前記保護シートの厚さが加わり、前記蓋板部の閉めが不完全になり、同時に前記磁石部と磁性部との吸着に不具合が生じて蓋板部が自然に開くなどして携帯時に誤作動が行なわれるなどの問題があった。
【０００５】
前記磁石部と磁性部との吸着の不具合は、前記の蓋板部の内側面に形成されたカード類を収納する切込みにカード類を収納した場合に蓋板部の厚みが当初より増すため著しいものであった。
【０００６】
前記事情に鑑み、前記携帯端末の収容空間を形成する枠部の高さを、予め、保護シート或いは／及びカード類の厚み分を加えた高さに形成することが考えられる。しかし、保護シートを貼着しない場合やカード類を収納しない場合に表示画面を指で操作すると収容空間を形成する枠部の内周面に指が当たり画面の操作性に問題を生じるものであった。
【０００７】
本発明は、前述のような問題点を解消するものであり、携帯端末に保護シートを貼着した場合であっても、また、保護シートを貼着しない場合であっても、表示画面の指による操作性に問題を生じることがなく、常に開閉カバーが定位置に閉められて見映えがよく、したがって、開閉カバーが自然に開くなどして誤作動のおそれがなく、さらに開閉カバーの内側面に非接触型収容ＩＣカード等を収納した場合にも開閉カバーの厚みが当初より増すことがない携帯に便利な携帯端末用ケースを提供することを目的とする。
【課題を解決するための手段】
【０００８】
前記目的達成のために、本発明に係る携帯端末用ケースは、携帯端末の収容空間と、該収容空間に収容された携帯端末の表面を覆う開閉カバーと、を有する携帯端末用ケースであって、前記携帯端末の高さと略同一の高さを有する前記収容空間を形成する枠部の一部分に略保護シートの厚さ分高く磁性部を形成し、前記開閉カバーを閉めた時に前記磁性部と対向する該開閉カバーの内側面に前記磁性部に適合する磁石部を略保護シートの厚さ分低く設けたことを特徴とする（請求項１）。
【０００９】
前記構成の本発明では、携帯端末の高さと携帯端末の収容空間を形成する枠部の一部分に略保護シートの厚さ分高く磁性部を形成し、前記開閉カバーを閉めた時に前記磁性部と対向する該開閉カバーの内側面に前記磁性部と適合する磁石部を略保護シートの厚さ分低く設けたため、収容空間に収容した携帯端末に保護シートを貼着した状態で開閉カバーを閉めた場合にも該開閉カバーが保護シートの厚さによって影響を受けることがなく常に定位置に閉められる。したがって、前記枠部に形成された磁性部と前記開閉カバーに形成された磁石部との吸着に不具合が生じることがない。
【００１０】
また、前記収容空間に収容した携帯端末に保護シートを貼着しない場合にも前記開閉カバーは常に定位置に閉められる。したがって、前記枠部に形成された磁性部と前記開閉カバーに形成された磁石部の吸着に不具合が生じることがない。さらに携帯端末の高さと収納空間を形成する枠部の高さが同一となるように形成されているため表示画面を指で操作した場合にも指が前記枠部の内側面に当たることがない。  
【００１１】
また、本発明の一実施例の携帯端末用ケースは、前記磁性部と磁石部を反対に形成したことを特徴とする（請求項２）。この構成によっても前記請求項１と同様の作用効果を得ることができる。
【００１２】
さらに、本発明の一実施例の携帯端末用ケースは、前記開閉カバーの内側面にカード類を収納する凹所を形成したことを特徴とする（請求項３）。
【００１３】
前記構成により、前記開閉カバーの内側面に形成した凹所に非接触型ＩＣカード等を収納しても前記開閉カバーが厚みは当初のままであり増すことがない。したがって、非接触型ＩＣカード等を収納した状態で開閉カバーを閉めた場合にも前記枠部に形成された磁性部と前記開閉カバーに形成された磁石部との吸着に不具合が生じることがないものである。
【発明の効果】
【００１４】
本発明によれば、携帯端末に保護シートを貼着した場合であっても、また、保護シートを貼着しない場合であっても、表示画面の指による操作性に問題を生じることがない。さらに開閉カバーが定位置に閉められて見映えがよく、開閉カバーの自然の開きに伴う誤作動のおそれもない。さらにまた、開閉カバーの内側面に非接触型ＩＣカード等を収納した場合にも開閉カバーが厚みは当初のままであり増すことがなく、開閉カバーが常に定位置に閉められて携帯に便利である効果が得られる。
【図面の簡単な説明】
【００１５】
【図１】本発明の実施形態に係る携帯端末用ケースと携帯端末及び保護シートの斜視図である。
【図２】図１の携帯端末用ケースのII−II線断面図である。
【図３】携帯端末用ケースを閉めた状態を示す断面図である。
【発明を実施するための形態】
【００１６】
以下、本発明の実施の形態に係る携帯端末用ケースを図１、図２及び図３を参照して説明する。
【００１７】
図中、Ａはアイホーン（登録商標）、スマートホーン、タブレット端末などの携帯端末、Ｂは携帯端末Ａの収容本体、Ｃは収容本体Ｂに収容された携帯端末Ａの表面を覆う開閉カバーである。
【００１８】
前記携帯端末Ａの収容本体Ｂは、底部１と該底部１の周囲に起立させられた枠部２とからなり硬質樹脂等の一体成形により構成され、その内部が携帯端末のＡの収容空間Ｄとされる。
【００１９】
前記収容本体Ｂには、内部に収容する携帯端末Ａとの対応関係において、底部１にはカメラ用の孔３が形成され、枠部２には各種の端子や操作スイッチなどための切除部４が形成されている。
【００２０】
さらに本発明では、前記携帯端末Ａの高さと収容空間Ｄを形成する枠部であって、前記携帯端末の高さと略同一の高さを有する枠部２の一部分に略保護シート５の厚さ分高く磁性部６が形成される。図面実施例では前記枠部２の一部分を少し高く形成して磁性薄板で挟持して磁性部６を形成している。
【００２１】
さらに、前記収容本体Ｂに収容された携帯端末Ａの表面を覆う開閉カバーＣが形成される。図面実施例では該開閉カバーＣは前記携帯端末Ａの収容本体Ｂの裏当て部材７を該携帯端末Ａの収容本体Ｂの片側に延長して形成している。
【００２２】
前記収容本体Ｂの裏当て部材７は芯材８を樹脂シート材９で被覆して構成され、該樹脂シート材９を前記携帯端末Ａの収容本体Ｂの片側に延長して前記開閉カバーＣを形成している。
【００２３】
図面実施例では、開閉カバーＣは、所定の厚さ、具体的には、非接触型ＩＣカード等Ｋを収納する凹所１０を形成することが可能な厚さを有する芯材１１を前記携帯端末Ａの収納本体Ｂの裏当て部材７から延長した樹脂シート材９により被覆して形成している。
【００２４】
そして、前記芯材１１に非接触型ＩＣカード等Ｋを収納する凹所１０が形成され、該凹所１０を被覆している樹脂シート９に非接触型ＩＣカード等Ｋの挿入口１２が形成される。
【００２５】
さらに前記開閉カバーＣには、閉めた時に前記磁性部６と対向する内側面に前記磁性部６に適合する磁石部１３が略保護シート５の厚さ分低く設けられる。
【００２６】
前記構成の本発明では、携帯端末Ａの高さと略同一の高さを有する収容空間Ｄの枠部６の一部分に略保護シート５の厚さ分高くした磁性部６を形成し、該磁性部６と対向する開閉カバーＣの内側面に略保護シート５の厚さ分低く磁石部１３を形成してなるため、収容空間Ｄに収容した携帯端末Ａの表面に保護シート５を貼着した場合であっても、また、該保護シート５を貼着しない場合であっても、開閉カバーＣは定位置に閉められる。したがって、開閉カバーＣの自然の開きに伴う誤作動のおそれもない。
【００２７】
さらに、前記開閉カバーＣの内側面に非接触型ＩＣカード等Ｋを収納する凹所１０を形成することにより、該凹所１０に前記非接触型ＩＣカード等Ｋを収納した場合であっても開閉カバーが常に定位置に閉められて見映えがよいものである。なお、凹所の深さや磁性部６の厚さは、ＩＣカード等や保護シートの厚みによって異なるが、通常、凹所の深さは０．７５ｍｍ〜１ｍｍ、磁性部６の厚みは０．５ｍｍ〜０．６ｍｍである。
【符号の説明】
【００２８】
Ａ    携帯端末  Ｂ    収容本体  Ｃ    開閉カバー  Ｄ    収容空間  ２    枠部  ５    保護シート  ６    磁性部  １０  凹所  １３  磁石部
【図１】
2015149782.tif 000003
【図２】
2015149782.tif 000004
【図３】
2015149782.tif 000005